(57)【要約】  保守部品交換時間間隔管理システム１００において、機械稼働時間情報収集部１０７、保守部品供給履歴情報収集部１０９、機械単位需要予測部１０２、地域単位需要予測部１０３、需要供給乖離計算部１０４、交換時間間隔更新部１０５などを有することで、機械稼働条件が類似する対象地域で稼働している複数の機械についての各個体の稼働時間を収集し、対象地域に向けた保守部品の実績の保守部品供給累計数を収集し、予め仮説の値を定めた保守部品交換時間間隔と稼働時間とから対象地域内の機械の各個体の過去の部品交換時期を計算して、機械の全個体の過去の保守部品交換需要累計数を時系列に集計する需要予測シミュレーションを行い、時系列の保守部品交換需要累計数と保守部品供給累計数との差分である保守部品需要供給乖離値を計算し、保守部品交換時間間隔の仮説値を変更しながら、保守部品需要供給乖離値を最小にする保守部品交換時間間隔の最適推定値を計算し、この保守部品交換時間間隔の最適推定値を用いて将来の保守部品の需要を予測する。
2013186880.tif 000002
【特許請求の範囲】
【請求項１】
計算機による管理システムにより、経時劣化により定期的に交換する保守部品を構成要素に含む機械の保守部品の需要を予測する保守部品の交換時間間隔管理方法であって、
機械稼働条件が類似する対象地域で稼働している複数の機械についての各個体の稼働時間を収集して機械稼働時間情報記憶部に記憶する機械稼働時間情報収集ステップと、
前記対象地域に向けた保守部品の実績の保守部品供給累計数を収集して保守部品供給履歴情報記憶部に記憶する保守部品供給履歴情報収集ステップと、
予め仮説の値を定めた保守部品交換時間間隔と前記機械稼働時間情報記憶部に記憶された稼働時間とから前記対象地域内の機械の各個体の過去の部品交換時期を計算して、機械の全個体の過去の保守部品交換需要累計数を時系列に集計して出力する需要予測シミュレーションステップと、
前記需要予測シミュレーションステップで出力された時系列の保守部品交換需要累計数と、前記保守部品供給履歴情報記憶部に記憶された保守部品供給累計数との差分である保守部品需要供給乖離値を計算して出力する保守部品需要供給乖離計算ステップと、
前記保守部品交換時間間隔の仮説値を変更しながら、前記保守部品需要供給乖離計算ステップで出力された保守部品需要供給乖離値を最小にする保守部品交換時間間隔の最適推定値を計算して出力する保守部品交換時間間隔更新ステップと、を有し、
前記保守部品交換時間間隔更新ステップで出力された保守部品交換時間間隔の最適推定値を用いて将来の保守部品の需要を予測する、ことを特徴とする保守部品の交換時間間隔管理方法。
【請求項２】
請求項１記載の保守部品の交換時間間隔管理方法において、
前記保守部品交換時間間隔を機械個体毎の個別の値とし、
前記需要予測シミュレーションステップでは、前記機械個体別の部品交換時間間隔を用いて機械個体毎の過去の部品交換時期を計算して、前記対象地域内の機械の全個体の過去の保守部品交換需要累計数を時系列に集計して出力し、
前記保守部品需要供給乖離計算ステップでは、前記需要予測シミュレーションステップで出力された前記対象地域内の保守部品交換需要累計数と、前記保守部品供給履歴情報記憶部に記憶された前記対象地域に向けて供給した保守部品供給累計数との差分である保守部品需要供給乖離値を計算して出力し、
前記保守部品交換時間間隔更新ステップでは、前記保守部品需要供給乖離計算ステップで出力された保守部品需要供給乖離値を最小にする前記機械個体別の保守部品交換時間間隔の最適推定値を計算して出力する、ことを特徴とする保守部品の交換時間間隔管理方法。
【請求項３】
請求項２記載の保守部品の交換時間間隔管理方法において、
前記保守部品交換時間間隔更新ステップでは、前記保守部品需要供給乖離計算ステップで出力された保守部品需要供給乖離値を最小にする前記機械個体別の保守部品交換時間間隔の最適推定値を計算する際に、前記保守部品需要供給乖離値の時系列の各時点での値の正負が打ち消しあうことによって時系列集計値がゼロあるいは最小になる保守部品交換間隔の最適推定値を計算する、ことを特徴とする保守部品の交換時間間隔管理方法。
【請求項４】
請求項１記載の保守部品の交換時間間隔管理方法において、
前記機械稼働条件が類似する対象地域は、類似の環境で区分した対象地域、類似の使用目的で区分した対象地域、または、機械運用会社で区分した対象地域である、ことを特徴とする保守部品の交換時間間隔管理方法。
【請求項５】
計算機による管理システムにより、経時劣化により定期的に交換する保守部品を構成要素に含む機械の保守部品の需要を予測する保守部品の交換時間間隔管理システムであって、
機械稼働条件が類似する対象地域で稼働している複数の機械についての各個体の稼働時間を収集して機械稼働時間情報記憶部に記憶する機械稼働時間情報収集部と、
前記対象地域に向けた保守部品の実績の保守部品供給累計数を収集して保守部品供給履歴情報記憶部に記憶する保守部品供給履歴情報収集部と、
予め仮説の値を定めた保守部品交換時間間隔と前記機械稼働時間情報記憶部に記憶された稼働時間とから前記対象地域内の機械の各個体の過去の部品交換時期を計算して、機械の全個体の過去の保守部品交換需要累計数を時系列に集計して出力する需要予測シミュレータ部と、
前記需要予測シミュレータ部から出力された時系列の保守部品交換需要累計数と、前記保守部品供給履歴情報記憶部に記憶された保守部品供給累計数との差分である保守部品需要供給乖離値を計算して出力する保守部品需要供給乖離計算部と、
前記保守部品交換時間間隔の仮説値を変更しながら、前記保守部品需要供給乖離計算部から出力された保守部品需要供給乖離値を最小にする保守部品交換時間間隔の最適推定値を計算して出力する保守部品交換時間間隔更新部と、を有し、
前記保守部品交換時間間隔更新部から出力された保守部品交換時間間隔の最適推定値を用いて将来の保守部品の需要を予測する、ことを特徴とする保守部品の交換時間間隔管理システム。
【請求項６】
請求項５記載の保守部品の交換時間間隔管理システムにおいて、
前記保守部品交換時間間隔を機械個体毎の個別の値とし、
前記需要予測シミュレータ部は、前記機械個体別の部品交換時間間隔を用いて機械個体毎の過去の部品交換時期を計算して、前記対象地域内の機械の全個体の過去の保守部品交換需要累計数を時系列に集計して出力し、
前記保守部品需要供給乖離計算部は、前記需要予測シミュレータ部から出力された前記対象地域内の保守部品交換需要累計数と、前記保守部品供給履歴情報記憶部に記憶された前記対象地域に向けて供給した保守部品供給累計数との差分である保守部品需要供給乖離値を計算して出力し、
前記保守部品交換時間間隔更新部は、前記保守部品需要供給乖離計算部から出力された保守部品需要供給乖離値を最小にする前記機械個体別の保守部品交換時間間隔の最適推定値を計算して出力する、ことを特徴とする保守部品の交換時間間隔管理システム。
【請求項７】
請求項６記載の保守部品の交換時間間隔管理システムにおいて、
前記保守部品交換時間間隔更新部は、前記保守部品需要供給乖離計算部から出力された保守部品需要供給乖離値を最小にする前記機械個体別の保守部品交換時間間隔の最適推定値を計算する際に、前記保守部品需要供給乖離値の時系列の各時点での値の正負が打ち消しあうことによって時系列集計値がゼロあるいは最小になる保守部品交換間隔の最適推定値を計算する、ことを特徴とする保守部品の交換時間間隔管理システム。
【請求項８】
請求項５記載の保守部品の交換時間間隔管理システムにおいて、
前記機械稼働条件が類似する対象地域は、類似の環境で区分した対象地域、類似の使用目的で区分した対象地域、または、機械運用会社で区分した対象地域である、ことを特徴とする保守部品の交換時間間隔管理システム。
【発明の詳細な説明】
【技術分野】
【０００１】
本発明は、保守部品の交換時間間隔管理方法およびシステムに関する。
【背景技術】
【０００２】
本技術分野の背景技術として、例えば、特許第４５９３０５５号公報（特許文献１）、特開２００５−１７３９７９号公報（特許文献２）、特許第４８８４２１４号公報（特許文献３）がある。【０００３】
上記特許文献１には、「市場で稼働している油圧ショベルのエンジン、フロント、旋回体、走行体のそれぞれの稼働時間を計測し、そのデータをコントローラのメモリに格納した後、衛星通信、ＦＤ等を介して基地局コンピュータに転送し、データベースに格納する。基地局コンピュータでは、油圧ショベル毎に部品の修理交換の都度、稼働データを用いてその部品が係わる部位毎の稼働時間ベースでその部品の交換時間間隔を計算し、格納、蓄積すると共に、油圧ショベル毎にそのデータを読み出し、部品毎に交換時間間隔をほぼ同じとする部品の交換率を求め、最大交換率に対応する交換時間間隔に基づき、その部品の目標交換時間間隔を計算する。これにより適切な目標交換時間間隔を設定し、稼働時間の異なる部位に係わる部品であっても、適切な交換予定時期を決めることができる。」などの技術が記載されている。【０００４】
また、上記特許文献２には、「建設機械から発信されたエラー情報、警告情報をサーバで取得する。サーバの交換可否判別手段では、位置情報データベースに記憶された位置情報から、建設機械の稼働地域を判定し、稼働環境負荷データベースから稼働地域における部品にかかる負荷（稼働地域における部品の寿命）を読み出す。そして、エラー情報又は警告情報を発信した部品が、稼働地域における寿命に達しており、建設機械の積算稼働時間が所定稼働時間以上となり、また、エラー情報の発信回数が所定回数以上又は警告情報の発信継続時間が所定時間以上となった場合には、交換可否判別手段において、エラー情報又は警告情報を発信した部品が補給部品との交換対象となると判別する。」などの技術が記載されている。【０００５】
また、上記特許文献３には、「本発明は、部品の保守計画を精度よく立案可能な建設機械のメンテナンス支援システムを提供する。このシステムでは、生産稼働条件に基づいて建設機械の運転・作業状況を運行シミュレーション手段でシミュレーションした後に、運転・作業状況に応じた部品毎の累積負荷を負荷算出手段で算出し、累積負荷に基づいて各部品の寿命を寿命算出手段で予測する。このため、従来のように、単なる稼働時間に基づいてどの部品を保守するかを決定するのに比し、より精度のよい保守計画を立てることができる。従って、予定された寿命よりも早い段階で突発的な部品異常が発生する可能性を低減できる。」などの技術が記載されている。
【先行技術文献】
【特許文献】
【０００６】
【特許文献１】特許第４５９３０５５号公報
【特許文献２】特開２００５−１７３９７９号公報
【特許文献３】特許第４８８４２１４号公報
【発明の概要】
【発明が解決しようとする課題】
【０００７】
ところで、上記特許文献１〜３を含む従来の保守部品の交換時間間隔管理技術に関して、本発明者が検討した結果、以下のようなことが明らかとなった。【０００８】
例えば、磨耗などによって経時劣化する保守部品を構成要素に備えた機械に対しては、定期的に保守部品の交換を行う。機械製造会社では、機械運用会社に遅滞なく保守部品を供給するために、定期交換の時間間隔に基づいて需要予測を行い、適切な在庫を管理する必要がある。一般に、機械運用会社の実施している保守部品交換の時間間隔を、機械製造会社からは知ることができないため、上記特許文献１に記載のように、機械の稼働時間を監視して設計寿命に基づく保守部品交換時間間隔の推定を行い、需要予測を行っている。また、上記特許文献２に記載のようにセンサ警報情報を監視したり、上記特許文献３に記載のように累積負荷を監視して、保守部品の各個体の交換時間間隔の推定精度を向上する試みも成されている。【０００９】
しかし、保守部品の経時劣化の速度は機械の使用環境あるいは使用方法に依存して変化するため、機械運用会社では独自の交換時間間隔を設定して管理している。そのため、設計寿命に基づく保守部品交換時間間隔の推定では需要予測に誤差が発生し、遅滞なく保守部品を供給するための安全在庫コストが増大するという問題があった。また、保守部品の各個体に係わるセンサ警報情報や累積負荷を監視しても、機械運用会社の独自の定期交換の時間間隔の管理値とは必ずしも一致しないため、需要予測への応用では精度が不足するという問題があった。【００１０】
以上により、従来の保守部品の交換時間間隔管理技術に対しては、精度の高い保守部品の需要予測を行うために、機械運用会社の保守部品交換時間間隔を推定することが課題である。【００１１】
そこで、本発明はこのような従来技術の課題に鑑みてなされたものであり、その代表的な目的は、機械製造会社側において、機械運用会社の保守部品の交換時間間隔を推定することができ、その推定値に基づいて精度の高い保守部品の需要予測を行うことが可能な保守部品の交換時間間隔管理方法およびシステムを提供することである。【００１２】
本発明の前記ならびにその他の目的と新規な特徴は、本明細書の記述および添付図面から明らかになるであろう。
【課題を解決するための手段】
【００１３】
本願において開示される発明のうち、代表的なものの概要を簡単に説明すれば、次のとおりである。【００１４】
すなわち、代表的な保守部品の交換時間間隔管理方法は、計算機による管理システムにより、経時劣化により定期的に交換する保守部品を構成要素に含む機械の保守部品の需要を予測する保守部品の交換時間間隔管理方法であって、以下の特徴を有するものである。【００１５】
前記保守部品の交換時間間隔管理方法は、機械稼働条件が類似する対象地域で稼働している複数の機械についての各個体の稼働時間を収集して機械稼働時間情報記憶部に記憶する機械稼働時間情報収集ステップと、前記対象地域に向けた保守部品の実績の保守部品供給累計数を収集して保守部品供給履歴情報記憶部に記憶する保守部品供給履歴情報収集ステップと、予め仮説の値を定めた保守部品交換時間間隔と前記機械稼働時間情報記憶部に記憶された稼働時間とから前記対象地域内の機械の各個体の過去の部品交換時期を計算して、機械の全個体の過去の保守部品交換需要累計数を時系列に集計して出力する需要予測シミュレーションステップと、前記需要予測シミュレーションステップで出力された時系列の保守部品交換需要累計数と、前記保守部品供給履歴情報記憶部に記憶された保守部品供給累計数との差分である保守部品需要供給乖離値を計算して出力する保守部品需要供給乖離計算ステップと、前記保守部品交換時間間隔の仮説値を変更しながら、前記保守部品需要供給乖離計算ステップで出力された保守部品需要供給乖離値を最小にする保守部品交換時間間隔の最適推定値を計算して出力する保守部品交換時間間隔更新ステップと、を有する。そして、前記保守部品交換時間間隔更新ステップで出力された保守部品交換時間間隔の最適推定値を用いて将来の保守部品の需要を予測する、ことを特徴とする。【００１６】
また、代表的な保守部品の交換時間間隔管理システムは、計算機による管理システムにより、経時劣化により定期的に交換する保守部品を構成要素に含む機械の保守部品の需要を予測する保守部品の交換時間間隔管理システムであって、以下の特徴を有するものである。【００１７】
前記保守部品の交換時間間隔管理システムは、機械稼働条件が類似する対象地域で稼働している複数の機械についての各個体の稼働時間を収集して機械稼働時間情報記憶部に記憶する機械稼働時間情報収集部と、前記対象地域に向けた保守部品の実績の保守部品供給累計数を収集して保守部品供給履歴情報記憶部に記憶する保守部品供給履歴情報収集部と、予め仮説の値を定めた保守部品交換時間間隔と前記機械稼働時間情報記憶部に記憶された稼働時間とから前記対象地域内の機械の各個体の過去の部品交換時期を計算して、機械の全個体の過去の保守部品交換需要累計数を時系列に集計して出力する需要予測シミュレータ部と、前記需要予測シミュレータ部から出力された時系列の保守部品交換需要累計数と、前記保守部品供給履歴情報記憶部に記憶された保守部品供給累計数との差分である保守部品需要供給乖離値を計算して出力する保守部品需要供給乖離計算部と、前記保守部品交換時間間隔の仮説値を変更しながら、前記保守部品需要供給乖離計算部から出力された保守部品需要供給乖離値を最小にする保守部品交換時間間隔の最適推定値を計算して出力する保守部品交換時間間隔更新部と、を有する。そして、前記保守部品交換時間間隔更新部から出力された保守部品交換時間間隔の最適推定値を用いて将来の保守部品の需要を予測する、ことを特徴とする。
【発明の効果】
【００１８】
本願において開示される発明のうち、代表的なものによって得られる効果を簡単に説明すれば以下のとおりである。【００１９】
すなわち、代表的な効果は、機械製造会社側において、機械運用会社の保守部品の交換時間間隔を推定することができ、その推定値に基づいて精度の高い保守部品の需要予測を行うことが可能な保守部品の交換時間間隔管理方法およびシステムを提供することができる。
【図面の簡単な説明】
【００２０】
【図１】本発明の実施の形態１の保守部品交換時間間隔管理システムを含む保守部品供給網の一例を示す構成図である。
【図２】図１に示す保守部品交換時間間隔管理システムの一例を示す構成図である。
【図３】図２に示す保守部品交換時間間隔管理システムの処理手順の一例を示すフロー図である。
【図４】図３に示す保守部品交換時間間隔管理システムの処理手順において、需要予測シミュレーションの一例を示す詳細フロー図である。
【図５】図３に示す保守部品交換時間間隔管理システムの処理手順において、機械単位の保守部品の交換イベントのシミュレーションの一例を示す説明図である。
【図６】図５に続く、機械単位の保守部品の交換イベントのシミュレーションの一例を示す説明図である。
【図７】図６に続く、機械単位の保守部品の交換イベントのシミュレーションの一例を示す説明図である。
【図８】図７に続く、機械単位の保守部品の交換イベントのシミュレーションの一例を示す説明図である。
【図９】図８に続く、機械単位の保守部品の交換イベントのシミュレーションの一例を示す説明図である。
【図１０】本発明の実施の形態１において、機械製造会社運用センタにおける計算機システムの一例を示す構成図である。
【図１１】図２に示す保守部品交換時間間隔管理システムにおいて、保守部品供給履歴情報の一例を示す説明図である。
【図１２】図２に示す保守部品交換時間間隔管理システムにおいて、機械稼働時間情報の一例を示す説明図である。
【図１３】図２に示す保守部品交換時間間隔管理システムにおいて、地域名リストの一例を示す説明図である。
【図１４】図２に示す保守部品交換時間間隔管理システムにおいて、部品リストの一例を示す説明図である。
【図１５】図２に示す保守部品交換時間間隔管理システムにおいて、機械リストの一例を示す説明図である。
【図１６】図２に示す保守部品交換時間間隔管理システムにおいて、交換時間間隔リストの一例を示す説明図である。
【図１７】図２に示す保守部品交換時間間隔管理システムにおいて、画面インターフェースのバッチ計算画面の一例を示す説明図である。
【図１８】図２に示す保守部品交換時間間隔管理システムにおいて、画面インターフェースの結果表示画面の一例を示す説明図である。
【図１９】図２に示す保守部品交換時間間隔管理システムにおいて、画面インターフェースの需要予測画面の一例を示す説明図である。
【図２０】本発明の実施の形態２の保守部品交換時間間隔管理システムの処理手順の一例を示すフロー図である。
【図２１】図２０に示す保守部品交換時間間隔管理システムの処理手順において、需要予測シミュレーションの一例を示す詳細フロー図である。
【図２２】本発明の実施の形態２の保守部品交換時間間隔管理システムにおいて、交換時間間隔リストの一例を示す説明図である。
【発明を実施するための形態】
【００２１】
以下の実施の形態においては、便宜上その必要があるときは、複数の実施の形態またはセクションに分割して説明するが、特に明示した場合を除き、それらは互いに無関係なものではなく、一方は他方の一部または全部の変形例、詳細、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でも良い。
【００２２】
さらに、以下の実施の形態において、その構成要素（要素ステップ等も含む）は、特に明示した場合および原理的に明らかに必須であると考えられる場合等を除き、必ずしも必須のものではないことは言うまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。このことは、上記数値および範囲についても同様である。
【００２３】
［本発明の実施の形態の概要］
本発明の実施の形態の保守部品の交換時間間隔管理方法は、計算機による管理システムにより、経時劣化により定期的に交換する保守部品を構成要素に含む機械の保守部品の需要を予測する保守部品の交換時間間隔管理方法であって、以下の特徴を有するものである（一例として、（）内に対応する構成要素の符号などを付記）。
【００２４】
前記保守部品の交換時間間隔管理方法は、機械稼働条件が類似する対象地域で稼働している複数の機械についての各個体の稼働時間を収集して機械稼働時間情報記憶部に記憶する機械稼働時間情報収集ステップ（３０５）と、前記対象地域に向けた保守部品の実績の保守部品供給累計数を収集して保守部品供給履歴情報記憶部に記憶する保守部品供給履歴情報収集ステップ（２０６）と、予め仮説の値を定めた保守部品交換時間間隔と前記機械稼働時間情報記憶部に記憶された稼働時間とから前記対象地域内の機械の各個体の過去の部品交換時期を計算して、機械の全個体の過去の保守部品交換需要累計数を時系列に集計して出力する需要予測シミュレーションステップ（３００）と、前記需要予測シミュレーションステップで出力された時系列の保守部品交換需要累計数と、前記保守部品供給履歴情報記憶部に記憶された保守部品供給累計数との差分である保守部品需要供給乖離値を計算して出力する保守部品需要供給乖離計算ステップ（２０７）と、前記保守部品交換時間間隔の仮説値を変更しながら、前記保守部品需要供給乖離計算ステップで出力された保守部品需要供給乖離値を最小にする保守部品交換時間間隔の最適推定値を計算して出力する保守部品交換時間間隔更新ステップ（２０８）と、を有する。そして、前記保守部品交換時間間隔更新ステップで出力された保守部品交換時間間隔の最適推定値を用いて将来の保守部品の需要を予測する、ことを特徴とする。
【００２５】
本発明の実施の形態の保守部品の交換時間間隔管理システムは、計算機による管理システムにより、経時劣化により定期的に交換する保守部品を構成要素に含む機械の保守部品の需要を予測する保守部品の交換時間間隔管理システムであって、以下の特徴を有するものである（一例として、（）内に対応する構成要素の符号などを付記）。
【００２６】
前記保守部品の交換時間間隔管理システムは、機械稼働条件が類似する対象地域で稼働している複数の機械についての各個体の稼働時間を収集して機械稼働時間情報記憶部に記憶する機械稼働時間情報収集部（１０７）と、前記対象地域に向けた保守部品の実績の保守部品供給累計数を収集して保守部品供給履歴情報記憶部に記憶する保守部品供給履歴情報収集部（１０９）と、予め仮説の値を定めた保守部品交換時間間隔と前記機械稼働時間情報記憶部に記憶された稼働時間とから前記対象地域内の機械の各個体の過去の部品交換時期を計算して、機械の全個体の過去の保守部品交換需要累計数を時系列に集計して出力する需要予測シミュレータ部（１０２、１０３）と、前記需要予測シミュレータ部から出力された時系列の保守部品交換需要累計数と、前記保守部品供給履歴情報記憶部に記憶された保守部品供給累計数との差分である保守部品需要供給乖離値を計算して出力する保守部品需要供給乖離計算部（１０４）と、前記保守部品交換時間間隔の仮説値を変更しながら、前記保守部品需要供給乖離計算部から出力された保守部品需要供給乖離値を最小にする保守部品交換時間間隔の最適推定値を計算して出力する保守部品交換時間間隔更新部（１０５）と、を有する。そして、前記保守部品交換時間間隔更新部から出力された保守部品交換時間間隔の最適推定値を用いて将来の保守部品の需要を予測する、ことを特徴とする。
【００２７】
以上説明した本発明の実施の形態の概要に基づいた各実施の形態を、以下において図面に基づいて詳細に説明する。なお、実施の形態を説明するための全図において、同一の部材には原則として同一の符号を付し、その繰り返しの説明は省略する。
【００２８】
［実施の形態１］
実施の形態１の保守部品の交換時間間隔管理方法およびシステムについて、図１〜図１９を用いて説明する。
【００２９】
本発明は、経時磨耗あるいは経時劣化する部品を含む機械装置一般に適用可能な保守部品の交換時間間隔の管理方法およびシステムに関する。本実施の形態では、電子機器の製造装置、半導体の製造装置、医療機器、発電機、電動機、電車、機関車、自動車、建設機械等の対象機械を限定せずに、機械として説明する。
【００３０】
また、本実施の形態においては、機械稼働条件が類似する対象地域として、類似の環境で区分した対象地域を例に説明するが、これに限定されるものではなく、類似の使用目的で区分した対象地域、または、機械運用会社で区分した対象地域などについても適用可能である。
【００３１】
＜保守部品交換時間間隔管理システムを含む保守部品供給網の構成＞
図１は、本実施の形態の保守部品交換時間間隔管理システムを含む保守部品供給網の一例を示す構成図である。図１において、実線は保守部品に関する情報の送信／受信を示し、破線は保守部品の移動を示す。
【００３２】
図１に示すように、保守部品供給網は、機械製造会社側の各システムと、複数の機械運用会社２０ａ，２０ｂ，２０ｃ（単に２０と記載する場合あり）側の各システムとから構成されている。機械製造会社側には、部品製造ライン１１、部品倉庫１２、保守部品勘定システム１３、保守部品交換時間間隔管理システム１００が設けられている。保守部品交換時間間隔管理システム１００には、部品リスト記憶部３０、地域名リスト記憶部３１、機械リスト記憶部３２が接続されている。
【００３３】
機械運用会社２０ａ，２０ｂ，２０ｃ側において、例えば機械運用会社２０ａ側では、機械２１ａを保有し、この機械２１ａの保守部品２２ａの交換を管理するための保守管理システム２３ａが設けられている。また、機械２１ａには、通信部２４ａが備えられている。他の機械運用会社２０ｂ，２０ｃ側でも、図示しないが同様に、通信部（２４ｂ，２４ｃ）を備えた各機械（２１ｂ，２１ｃ）を保有し、各機械の保守部品の交換を管理するための各保守管理システム（２３ｂ，２３ｃ）が設けられている。機械運用会社２０ａ，２０ｂ，２０ｃ側の各システムは、ネットワーク１４を介して、機械製造会社の保守部品交換時間間隔管理システム１００に接続されている。
【００３４】
以上のように構成される保守部品供給網において、例えば、保守部品２２ａの供給は、機械製造会社の部品製造ライン１１から機械製造会社の部品倉庫１２への入庫、部品倉庫１２から機械運用会社２０ａへの発送という順番で行われる。
【００３５】
保守部品２２ａの供給に係わる情報は、機械運用会社２０ａから機械製造会社の保守部品勘定システム１３への保守部品発注、保守部品勘定システム１３から部品倉庫１２への部品発送指示、部品倉庫１２から保守部品勘定システム１３への部品発送完了報告の流れで行われる。保守部品勘定システム１３の管理する保守部品供給履歴情報は、機械製造会社の保守部品交換時間間隔管理システム１００に送られる。
【００３６】
機械運用会社２０ａが保有する機械２１ａに対する保守部品２２ａの交換は、機械運用会社の保守管理システム２３ａの指示によって行われ、交換日時等の実績情報も保守管理システム２３ａに記録される。機械運用会社の保守管理システム２３ａは、機械製造会社の保守部品勘定システム１３あるいは保守部品交換時間間隔管理システム１００とは接続していない。
【００３７】
一方、機械２１ａは通信部２４ａを備え、ネットワーク１４を介して、機械２１ａの稼働時間情報を機械製造会社の保守部品交換時間間隔管理システム１００に送る。
【００３８】
保守部品交換時間間隔管理システム１００は、上記の保守部品供給履歴情報および機械稼働時間情報、および部品リスト記憶部３０の部品リスト情報、および地域名リスト記憶部３１の地域名リスト情報に基づいて、将来の保守部品の需要予測を行い、過不足の無い部品生産を部品製造ライン１１に指示する。
【００３９】
＜保守部品交換時間間隔管理システムの構成＞
図２は、図１に示した保守部品交換時間間隔管理システム１００の一例を示す構成図である。
【００４０】
図２に示すように、保守部品交換時間間隔管理システム１００は、カレンダ制御部１０１、機械単位需要予測部１０２ａ，１０２ｂ，１０２ｃ（単に１０２と記載する場合あり）、地域単位需要予測部１０３、需要供給乖離計算部１０４、交換時間間隔更新部１０５、交換時間間隔記憶部１０６、機械稼働時間情報収集部１０７、機械稼働時間情報記憶部１０８、保守部品供給履歴情報収集部１０９、保守部品供給履歴情報記憶部１１０、地域単位供給集計部１１１から構成される。各機能などの詳細は、全体的な動作の説明において後述するが、主に以下のような機能を有する。
【００４１】
機械稼働時間情報収集部１０７は、機械稼働条件が類似する対象地域で稼働している複数の機械についての各個体の稼働時間を収集して、機械稼働時間情報記憶部１０８に記憶する機能部である。
【００４２】
保守部品供給履歴情報収集部１０９は、対象地域に向けた保守部品の実績の保守部品供給累計数を収集して、保守部品供給履歴情報記憶部１１０に記憶する機能部である。
【００４３】
機械単位需要予測部１０２ａ，１０２ｂ，１０２ｃと地域単位需要予測部１０３は、需要予測シミュレータ部を構成し、予め仮説の値を定めた保守部品交換時間間隔と、機械稼働時間情報記憶部１０８に記憶された稼働時間とから、対象地域内の機械の各個体の過去の部品交換時期を計算して、機械の全個体の過去の保守部品交換需要累計数を時系列に集計して出力する機能部である。
【００４４】
需要供給乖離計算部１０４は、需要予測シミュレータ部から出力された時系列の保守部品交換需要累計数と、保守部品供給履歴情報記憶部１１０に記憶された保守部品供給累計数との差分である保守部品需要供給乖離値を計算して出力する機能部である。
【００４５】
交換時間間隔更新部１０５は、保守部品交換時間間隔の仮説値を変更しながら、需要供給乖離計算部１０４から出力された保守部品需要供給乖離値を最小にする保守部品交換時間間隔の最適推定値を計算して、交換時間間隔記憶部１０６に出力する機能部である。
【００４６】
以上の保守部品交換時間間隔管理システム１００の構成において、カレンダ制御部１０１、機械単位需要予測部１０２ａ，１０２ｂ，１０２ｃ、地域単位需要予測部１０３、需要供給乖離計算部１０４、交換時間間隔更新部１０５、機械稼働時間情報収集部１０７、保守部品供給履歴情報収集部１０９、地域単位供給集計部１１１は、ソフトウェアによって実現される機能部である。
【００４７】
また、保守部品交換時間間隔管理システム１００を構成する、交換時間間隔記憶部１０６、機械稼働時間情報記憶部１０８、保守部品供給履歴情報記憶部１１０の他、部品リスト記憶部３０、地域名リスト記憶部３１、機械リスト記憶部３２は、データベースなどを含む記憶装置に割り付けられる。
【００４８】
＜保守部品交換時間間隔管理システムの処理手順＞
図３は、図２に示した保守部品交換時間間隔管理システム１００の処理手順の一例を示すフロー図である。
【００４９】
図３に示すように、保守部品交換時間間隔管理システム１００の処理手順は、需要予測処理の開始（ステップ２００）、地域名リストから地域名の取得（ステップ２０１）、地域名取得の終了？（ステップ２０２）、部品リストから部品番号の取得（ステップ２０３）、部品番号取得の終了？（ステップ２０４）、過去のカレンダ年月日の設定（ステップ２０５）、部品供給数の取得と集計（ステップ２０６）、需要予測シミュレーション（ステップ３００）、需要供給乖離の計算（ステップ２０７）、乖離値最小？（ステップ２０８）、交換時間間隔の現在値を更新（ステップ２０９）、未来のカレンダ年月日の設定（ステップ２１０）、需要予測シミュレーション（ステップ２１１）、需要予測処理の終了（ステップ２１２）から構成される。各動作などの詳細は、全体的な動作の説明において後述する。
【００５０】
＜需要予測シミュレーションの詳細＞
図４は、図３に示した保守部品交換時間間隔管理システム１００の処理手順において、需要予測シミュレーション（ステップ３００）の一例を示す詳細フロー図である。
【００５１】
図４に示すように、需要予測シミュレーション（ステップ３００）の詳細は、需要予測シミュレーションの開始（ステップ３０１）、機械リストから機械番号の取得（ステップ３０２）、機械番号取得の終了？（ステップ３０４）、機械稼働時間の取得（ステップ３０５）、交換時間間隔の現在値の取得（ステップ３０６）、機械単位の需要予測結果の集計（ステップ３０８）、需要予測シミュレーションの終了（ステップ３０９）から構成される。各動作などの詳細は、全体的な動作の説明において後述する。
【００５２】
＜機械単位の保守部品の交換イベントのシミュレーション＞
図５〜図９は、図３に示した保守部品交換時間間隔管理システム１００の処理手順において、機械単位の保守部品の交換イベントのシミュレーションの一例を示す説明図である。
【００５３】
図５において、（ａ）は機械２１ａの稼働開始日と部品交換イベントのチャート４０１、（ｂ）は機械２１ｂの稼働開始日と部品交換イベントのチャート４０２、（ｃ）は機械２１ｃの稼働開始日と部品交換イベントのチャート４０３をそれぞれ表す。図５（ａ），（ｂ），（ｃ）において、横軸はカレンダ時間ｔを示し、縦軸は機械毎ｍの保守部品ｐの需要数を示す。
【００５４】
図６は、図５に示した需要数を累積して表したもので、（ａ）は機械２１ａのチャート４１１（矩形線４１１ｄ）、（ｂ）は機械２１ｂのチャート４１２（矩形線４１２ｄ）、（ｃ）は機械２１ｃのチャート４１３（矩形線４１３ｄ）をそれぞれ表す。図６（ａ），（ｂ），（ｃ）において、横軸はカレンダ時間ｔを示し、縦軸は機械毎ｍの保守部品ｐの需要累計数Ｄｐｍ（ｔ）を示す。
【００５５】
図７は、図６に示した需要累計数を集計したチャート４２０（矩形線４２０ｄ）を表したもので、横軸はカレンダ時間ｔを示し、縦軸は全ての機械の保守部品ｐの需要累計数Ｄｐ（ｔ）を示す。
【００５６】
図８は、図７に示した全ての機械の保守部品ｐの需要累計数Ｄｐ（ｔ）と、供給累計数Ｓｐ（ｔ）とのチャート４２０（需要累計数Ｄｐ（ｔ）の矩形線４２０ｄ、供給累計数Ｓｐ（ｔ）の矩形線４２０ｓ）を表したもので、横軸はカレンダ時間ｔを示し、縦軸は全ての機械の保守部品ｐの需要累計数Ｄｐ（ｔ）、供給累計数Ｓｐ（ｔ）を示す。
【００５７】
図９は、図５〜図８に対して、交換時間間隔が当初の値の３分の２になった時のチャート５０１，５０２，５０３、チャート５１１（（矩形線５１１ｄ），５１２（矩形線５１２ｄ），５１３（矩形線５１３ｄ）、チャート５２０（需要累計数Ｄｐ（ｔ）の矩形線５２０ｄ、供給累計数Ｓｐ（ｔ）の矩形線４２０ｓ）を表したものである。
【００５８】
これらの図５〜図９で表した、機械単位の保守部品の交換イベントのシミュレーションの詳細は、全体的な動作の説明において後述する。
【００５９】
＜機械製造会社運用センタにおける計算機システムの構成＞
図１０は、本実施の形態において、機械製造会社運用センタにおける計算機システムの一例を示す構成図である。
【００６０】
図１０に示すように、機械製造会社運用センタ６００は、保守部品交換時間管理用計算機６０１と、データベース（ＤＢ）管理用計算機６０２とから構成される。保守部品交換時間管理用計算機６０１は、演算処理装置６１０と、記憶装置６２０とを備える。記憶装置６２０は、保守部品供給履歴情報記憶部１１０、機械稼働時間情報記憶部１０８、交換時間間隔記憶部１０６を備える。データベース管理用計算機６０２は、入出力装置６４０と、記憶装置６３０とを備える。記憶装置６３０は、地域名リスト記憶部３１、部品リスト記憶部３０、機械リスト記憶部３２を備える。
【００６１】
以下に説明する処理は全て、図１０に示した保守部品交換時間管理用計算機６０１とデータベース管理用計算機６０２とのハードウェアによって処理され、図２に示した保守部品交換時間間隔管理システム１００の各機能部を構築するソフトウェアによって実現される。
【００６２】
＜保守部品交換時間間隔管理システムを含む保守部品供給網の全体的な動作＞
前述した図１〜図１０を用い、さらに図１１〜図１９を用いて、本実施の形態の保守部品交換時間間隔管理システムを含む保守部品供給網の全体的な動作について説明する。
【００６３】
（情報収集記憶）
機械稼働時間情報収集部１０７は、図１で説明した機械稼働時間情報を、月次あるいは日次等の所定のサイクルで収集して、機械稼働時間情報記憶部１０８に記憶する。保守部品供給履歴情報収集部１０９は、図１で説明した保守部品供給履歴情報を、月次あるいは日次等の所定のサイクルで収集して、保守部品供給履歴情報記憶部１１０に記憶する。
【００６４】
以下、図２を基本に他の図を参照しながら、保守部品交換時間間隔管理システム１００の処理手順を説明する。
【００６５】
（需要予測処理開始）
保守部品交換時間間隔管理システム１００は、所定のサイクルあるいは外部の処理開始トリガー信号によって需要予測処理を開始し、図３の処理手順に従って処理を実施する（図３のステップ２００）。
【００６６】
（繰り返し制御）
保守部品交換時間間隔管理システム１００は、地域名リスト記憶部３１からリストの順に地域名を取得する（図３のステップ２０１）。地域名リストの一例を、図１３に示す。地域名リスト３１ｄのレコード構成は、少なくとも、「地域名」（例えば、Ｒ−Ａ、Ｒ−Ｂ、Ｒ−Ｃ、・・・、Ｒ−Ｘ）のカラムを含む。図１３の例では、「地域名」“Ｒ−Ａ”から順番に取得する。
【００６７】
地域名の取得が終了するまで、以下の手順を繰り返し（図３のステップ２０２の“ｎｏ”の場合）、地域名の取得が終了したら、需要予測処理を終了する（図３のステップ２１２）（図３のステップ２０２の“ｙｅｓ”の場合）。
【００６８】
保守部品交換時間間隔管理システム１００は、部品リスト記憶部３０からリストの順に部品番号を取得し（図３のステップ２０３）、部品番号の取得が終了するまで、以下の手順を繰り返す（図３のステップ２０４の“ｎｏ”の場合）。部品リストの一例を、図１４に示す。部品リスト３０ｄのレコード構成は、少なくとも、「部品番号」（例えば、Ｐ００１、Ｐ００２、Ｐ００３、・・・、Ｐ００Ｎ）のカラムを含む。「部品名」（例えば、Ｍｏｔｏｒ、Ｇｅａｒ、Ｂｏｌｔ、・・・、Ｎｕｔ）のカラムは、画面インターフェースの表示を行う際に必要になる。図１４の例では、「部品番号」“Ｐ００１”の“Ｍｏｔｏｒ”から順番に取得する。
【００６９】
部品番号の取得が終了したら、地域名の取得（図３のステップ２０１）に戻る（図３のステップ２０４の“ｙｅｓ”の場合）。
【００７０】
（カレンダ制御）
カレンダ制御部１０１は、過去の所定の期間の年月日データを、機械単位需要予測部１０２ａ，１０２ｂ，１０２ｃ、および地域単位供給集計部１１１に設定する（図３のステップ２０５）。
【００７１】
（地域単位供給集計）
地域単位供給集計部１１１は、地域名に基づき該当する地域向けに供給された該当する部品の保守部品供給数を保守部品供給履歴情報収集部１０９から設定された年月日の期間について取得し、時系列の順に供給累計数を集計する（図３のステップ２０６）。
【００７２】
保守部品供給履歴情報の一例を、図１１に示す。保守部品供給履歴情報１１０ｄのレコード構成は、少なくとも、「部品番号」（例えば、Ｐ００１、Ｐ００２、Ｐ００１、・・・、Ｐ００２）、「受注年月日」（例えば、２０１１年１月１日、２０１１年１月１日、２０１１年１月２日、・・・、２０１１年１月３１日）、あるいは「指定納期」（例えば、２０１１年４月１日、２０１１年４月１日、２０１１年４月４日、・・・、２０１１年５月１日）、「受注数」（例えば、１、４、１、・・・、３）、「地域名」（例えば、Ｒ−Ａ、Ｒ−Ａ、Ｒ−Ａ、・・・、Ｒ−Ｃ）のカラムを含む。
【００７３】
（需要予測シミュレーションの開始）
保守部品交換時間間隔管理システム１００は、需要予測シミュレーション（図３のステップ３００）を、以下の詳細手順で開始する（図４のステップ３０１）。
【００７４】
（機械番号の取得）
機械単位需要予測部１０２ａは、地域名に基づき該当する地域で稼働している機械運用会社（例えば図１の２０ａ）の機械（例えば２１ａ）の機械番号を機械リスト記憶部３２から取得する（図４のステップ３０２）。
【００７５】
機械リストの一例を、図１５に示す。機械リスト３２ｄのレコード構成は、少なくとも、「機械番号」（例えば、Ｍ２１ａ、Ｍ２１ｂ、Ｍ２１ｃ、・・・、Ｍ２１ｘ）と、「地域名」（例えば、Ｒ−Ａ、Ｒ−Ａ、Ｒ−Ａ、・・・、Ｒ−Ｂ）のカラムを含む。
【００７６】
機械稼働時間の取得が終了するまで、以下の手順を繰り返す（図４のステップ３０４“ｎｏ”の場合）。
【００７７】
（機械稼働時間取得）
機械単位需要予測部１０２ａは、機械番号に基づき、その機械の時系列の稼働時間を機械稼働時間情報記憶部１０８から設定された年月日の期間について取得する（図４のステップ３０５）。
【００７８】
機械稼働時間情報の一例を、図１２に示す。機械稼働時間情報１０８ｄのレコード構成は、少なくとも、「機械番号」（例えば、Ｍ２１ａ、Ｍ２１ｂ、Ｍ２１ｃ、・・・、Ｍ２１ｘ）、「移動開始年月日」（例えば、２００１年１月１日、２００６年１月１６日、２００１年１月１日、・・・、２０００年１月３１日）、あるいは「調査年月日」（例えば、２００１年４月１日、２００６年４月１８日、２００１年４月１日、・・・、２０００年５月１日）、「稼働時間」（例えば、１５０００、７０００、３００００、・・・、２００００）、「地域名」（例えば、Ｒ−Ａ、Ｒ−Ａ、Ｒ−Ａ、・・・、Ｒ−Ｃ）のカラムを含む。
【００７９】
（交換時間間隔現在値取得）
機械単位需要予測部（例えば１０２ａ，１０２ｂ，１０２ｃ）は、保守部品の交換時間間隔記憶部１０６から、該当する地域の該当する部品の交換時間間隔現在値を取得する（図４のステップ３０６）。交換時間間隔現在値の初期値は、例えば、標準仕様環境に対する設計寿命を設定すれば良い。
【００８０】
保守部品の交換時間間隔記憶部１０６に記憶する交換時間間隔リストの一例を、図１６に示す。交換時間間隔リスト１０６ｄのレコード構成は、少なくとも、「地域名」（例えば、Ｒ−Ａ、Ｒ−Ａ、Ｒ−Ｂ、・・・、Ｒ−Ｘ）と、「部品番号」（例えば、Ｐ００１、Ｐ００２、Ｐ００１、・・・、Ｐ００２）と、「交換時間間隔」（例えば、３０、２００、２５、・・・、３５０）のカラムを含む。例えば、地域名“Ｒ−Ａ”における部品番号“Ｐ００１”の交換時間間隔現在値として“３０”を取得する。
【００８１】
（機械単位需要予測シミュレーション）
機械単位需要予測部（例えば１０２ａ，１０２ｂ，１０２ｃ）は、機械単位に保守部品の需要予測シミュレーション行い、時系列の需要予測データを生成する（図４のステップ３０７）。具体的には、数１の式に基づいて、年月日ｔにおける機械ｍの保守部品ｐの需要累計数を生成する。
【００８２】
【数１】
2013186880.tif 000003
【００８３】
以上の処理が終了したら、機械単位需要予測部１０２ａは、機械稼働時間の取得（図４のステップ３０２）に戻る。機械稼働時間の取得が終了したら、以下に進む（図４のステップ３０４“ｙｅｓ”の場合）。
【００８４】
図５に、３台の機械についての機械単位の保守部品の交換イベントの発生シミュレーションの一例として、チャート４０１，４０２，４０３を示す。横軸はカレンダ時間（年月日）ｔ、縦軸は機械毎ｍの保守部品ｐの需要数を示す。（ａ）機械２１ａと（ｃ）機械２１ｃの稼働開始日はｔ＝０であるが、（ｂ）機械２１ｂの稼働開始日は遅れてｔ＝１５である。３台の機械は同様の環境で使用されており、部品ｐの交換時間間隔は同じである。ただし、一日あたりの稼働時間が異なる。機械２１ａは一日あたりの稼働時間が最も小さく、交換イベント間隔はｔ＝１０である。機械２１ｂは一日あたりの稼働時間が最も大きく、交換イベント間隔はｔ＝３である。機械２１ｃは一日あたりの稼働時間が両者の間にあり、交換イベント間隔はｔ＝８である。交換イベント毎の必要部品数は１個としているが任意の個数でも問題ない。
【００８５】
図６に、３台の機械についての機械単位の保守部品の需要累計数のシミュレーションの一例として、チャート４１１，４１２，４１３を示す。図５の時系列の交換イベント毎の部品数を累積することで、需要累計数の矩形線４１１ｄ，４１２ｄ，４１３ｄが得られる。
【００８６】
（地域単位需要予測）
地域単位需要予測部１０３は、数２の式に基づいて、該当地域の全ての機械ｍの保守部品ｐの需要累計数を集計して生成する（図４のステップ３０８）。
【００８７】
【数２】
2013186880.tif 000004
【００８８】
図７に、保守部品の需要累計数を集計したチャート４２０を示す。同一使用条件で稼働した図６の３台の機械についての機械単位の保守部品ｐの需要累計数の矩形線４１１ｄ，４１２ｄ，４１３ｄを集計することにより、全ての機械の保守部品ｐの需要累計数の矩形線４２０ｄを得る。
【００８９】
保守部品交換時間間隔管理システム１００は、需要予測シミュレーション（図３のステップ３００）を終了する（図４のステップ３０９）。
【００９０】
（需要供給乖離計算）
需要供給乖離計算部１０４は、数３の式に基づいて、地域単位供給集計部１１１からの時系列の保守部品供給累計数と、地域単位需要予測部１０３からの時系列の保守部品需要累計数との差分を、需要供給乖離累計数として計算する（図３のステップ２０７）。
【００９１】
【数３】
2013186880.tif 000005
【００９２】
需要供給乖離計算部１０４は、さらに数４の式に基づいて、需要供給乖離累計数を時間軸方向に集計して需要供給乖離値を計算する。需要供給乖離値が最小値に収束したかどうかを判定し、収束したと判断しない場合は以下の交換時間間隔更新に処理を進め（図３のステップ２０８“ｎｏ”の場合）、収束したと判断する場合は後述の未来需要予測に処理を進める（図３のステップ２０８“ｙｅｓ”の場合）。
【００９３】
【数４】
2013186880.tif 000006
【００９４】
図８に、図７の該当地域の全ての機械の保守部品ｐの需要累計数の矩形線４２０ｄに、該当地域への保守部品ｐの供給累計数の矩形線４２０ｓを加えたチャート４２０を示す。供給累計数の矩形線４２０ｓと需要累計数の矩形線４２０ｄの差分が、需要供給乖離累計数の矩形線（図示せず）になる。この需要供給乖離累計数の矩形線（図示せず）の面積から需要供給乖離値が得られる。図示するまでもなく明らかに、図８の需要供給乖離値は正の値になる。
【００９５】
（交換時間間隔更新）
交換時間間隔更新部１０５は、需要供給乖離計算部１０４からの需要供給乖離値が小さくなるように、交換時間間隔の現在値を更新し（図３のステップ２０９）、交換時間間隔記憶部１０６に格納する。
【００９６】
例えば、需要供給乖離値が正の場合は、保守部品の供給数実績値が需要数シミュレーション推定値より大きいため、需要数シミュレーション推定値を大きくするために交換時間間隔の現在値を小さくする。逆に、需要供給乖離値が負の場合は、保守部品の供給数実績値が需要数シミュレーション推定値より小さいため、需要数シミュレーション推定値を小さくするために交換時間間隔の現在値を大きくする。
【００９７】
更新幅を十分小さくすれば、需要数シミュレーション（図３のステップ３００）から交換時間間隔の現在値の更新（図３のステップ２０９）までの繰り返しにより、需要供給乖離値は最小値に収束する。また、計算時間を短縮するためには、更新幅を大きい幅から小さい幅に逐次可変にすることもできる。
【００９８】
図８の需要供給乖離値は正の値であるため、交換時間間隔の現在値を小さくする。これを繰り返し、交換時間間隔が当初の値“３０”に対して３分の２の値“２０”になった時のチャートを図９に示す。
【００９９】
図９の保守部品の交換イベントの発生シミュレーションのチャート５０１，５０２，５０３は、交換時間間隔の短縮の結果、交換イベントの発生間隔が図５に比較して３分の２に縮まっている。
【０１００】
この結果、図９の機械単位の保守部品の需要累計数のシミュレーション結果のチャート５１１，５１２，５１３では、図６と比べて、需要累計数の矩形線５１１ｄ，５１２ｄ，５１３ｄの積上げ速度が大きくなっている。
【０１０１】
これらの機械単位の需要累計数の矩形線５１１ｄ，５１２ｄ，５１３ｄを集計したチャート５２０の矩形線５２０ｄは、供給累計数の矩形線４２０ｓに近づき、需要供給乖離値は正負が打ち消しあいゼロあるいは最小値になる。これより交換時間間隔を短縮すると、需要供給乖離値は符号を反転して負の値となる。よって、この時の交換時間間隔推定値が機械運用会社での保守部品交換間隔の最適推定値になる。
【０１０２】
交換時間間隔更新部１０５が更新した交換時間間隔リストの一例を、図１６の交換時間間隔リスト１０６ｄ２に示す。この例では、地域名“Ｒ−Ａ”における部品番号“Ｐ００１”の交換時間間隔の現在値“３０”を“２０”に更新している。
【０１０３】
（未来需要予測）
需要供給乖離計算部１０４が、上記の需要供給乖離値が最小値に収束したと判断した場合は、カレンダ制御部１０１は所定の未来のカレンダを機械単位需要予測部（例えば１０２ａ，１０２ｂ，１０２ｃ）に設定する（図３のステップ２１０）。
【０１０４】
保守部品交換時間間隔管理システム１００は、需要予測シミュレーション（図３のステップ２１１）を、上記で説明した図４の手順で未来カレンダに対して最新の交換時間間隔現在値を用いて需要予測シミュレーションを行う。
【０１０５】
その後、保守部品交換時間間隔管理システム１００は、部品番号の取得（図３のステップ２０３）に戻る。
【０１０６】
そして、保守部品交換時間間隔管理システム１００は、需要予測処理が終了（図３のステップ２１２）した後、保守部品需要予測結果を機械製造会社部品製造ライン（図１の１１）に送る。
【０１０７】
（画面インターフェース）
保守部品交換時間間隔管理システム１００の画面インターフェースを、図１７〜図１９に示す。それぞれ、図１７はバッチ計算画面の一例、図１８は結果表示画面の一例、図１９は需要予測画面の一例を示す。
【０１０８】
（画面インターフェース：バッチ計算画面）
以上に説明した保守部品交換時間間隔の推定から需要予測までの処理は、全ての地域と全ての部品について、図１０に示した保守部品交換時間管理用計算機６０１と、データベース（ＤＢ）管理用計算機６０２とが自動的に処理可能であるが、保守部品交換時間管理用計算機６０１が制御する図１７のバッチ計算画面７００は選択的に処理することも可能にする。
【０１０９】
バッチ計算画面７００は上部に、バッチ計算画面切換えボタン７０１、結果表示画面切換えボタン７１１、需要予測画面切換えボタン７２１を備え、図１７、図１８、図１９の画面を切り換え可能にする。
【０１１０】
バッチ計算画面７００は、地域名選択テキストエントリ７０２を備え、保守部品交換時間間隔の推定から需要予測までの処理を行う対象地域を選択可能にする。プルダウンボタン７０２ｓにより、図１３の地域名リスト３１ｄの内容を表示して、地域名を選択することを可能にする。地域名プルダウンリストの中に「全て」（ＡＬＬ）という選択項目を含ませ、これを選択した場合は全ての地域について処理を行うことを可能にする。
【０１１１】
バッチ計算画面７００は、部品番号選択テキストエントリ７０３を備え、保守部品交換時間間隔の推定から需要予測までの処理を行う対象部品を選択可能にする。プルダウンボタン７０３ｓにより、図１４の部品リスト３０ｄの内容を表示して、部品番号を選択することを可能にする。選択した部品番号に対応した部品名を部品名テキストボックス７０４に表示する。部品プルダウンリストの中に「全て」（ＡＬＬ）という選択項目を含ませ、これを選択した場合は全ての部品について処理を行うことを可能にする。
【０１１２】
バッチ計算画面７００は、バッチ投入ボタン７０５を備え、このボタンのクリックにより、選択した地域名（全ての地域名選択を含む）の選択した部品（全ての部品選択を含む）の保守部品交換時間間隔の推定から需要予測までの自動処理を、図１０に示した保守部品交換時間管理用計算機６０１と、データベース（ＤＢ）管理用計算機６０２とが実行する。
【０１１３】
（画面インターフェース：結果表示画面）
保守部品交換時間管理用計算機６０１が制御する図１８の結果表示画面７１０は、バッチ計算画面７００の実行で得られる部品交換時間間隔を選択的に表示することを可能にする。
【０１１４】
結果表示画面７１０は、上部に、バッチ計算画面切換えボタン７０１、結果表示画面切換えボタン７１１、需要予測画面切換えボタン７２１を備え、図１７、図１８、図１９の画面を切り換え可能にする。
【０１１５】
結果表示画面７１０は、地域名選択テキストエントリ７１２を備え、保守部品交換時間間隔の結果を表示する対象地域を選択可能にする。プルダウンボタン７１２ｓにより、図１３の地域名リスト３１ｄの内容を表示して、地域名を選択することを可能にする。
【０１１６】
結果表示画面７１０は、部品番号選択テキストエントリ７１３を備え、保守部品交換時間間隔の結果を表示する対象部品を選択可能にする。プルダウンボタン７１３ｓにより、図１４の部品リスト３０ｄの内容を表示して、部品番号を選択することを可能にする。選択した部品番号に対応した部品名を部品名テキストボックス７１４に表示する。
【０１１７】
結果表示画面７１０は、現行の部品交換時間間隔テキストボックス７１５ａと、今回推定した部品交換時間間隔テキストボックス７１７ａを備え、保守部品交換時間管理用計算機６０１が値を表示する。また、現行の部品交換時間間隔による需給誤差テキストボックス７１５ｅと、今回推定した部品交換時間間隔による需給誤差テキストボックス７１７ｅを備え、保守部品交換時間管理用計算機６０１が値を表示する。また、現行の部品交換時間間隔による需要累計数と供給累計数のチャート７１６と、今回推定した部品交換時間間隔による需要累計数と供給累計数のチャート７１８を、保守部品交換時間管理用計算機６０１が値を表示する。
【０１１８】
（画面インターフェース：需要予測画面）
保守部品交換時間管理用計算機６０１が制御する図１９の需要予測画面７２０は、バッチ計算画面７００の実行で得られた部品交換時間間隔を用いて指定期間の需要予測を実行することを可能にする。
【０１１９】
需要予測画面７２０は、上部に、バッチ計算画面切換えボタン７０１、結果表示画面切換えボタン７１１、需要予測画面切換えボタン７２１を備え、図１７、図１８、図１９の画面を切り換え可能にする。
【０１２０】
需要予測画面７２０は、地域名選択テキストエントリ７２２を備え、需要予測を行う対象地域を選択可能にする。プルダウンボタン７２２ｓにより、図１３の地域名リスト３１ｄの内容を表示して、地域名を選択することを可能にする。地域名プルダウンリストの中に「全て」（ＡＬＬ）という選択項目を含ませ、これを選択した場合は全ての地域について処理を行うことを可能にする。
【０１２１】
需要予測画面７２０は、部品番号選択テキストエントリ７２３を備え、需要予測を行う対象部品を選択可能にする。プルダウンボタン７２３ｓにより、図１４の部品リスト３０ｄの内容を表示して、部品番号を選択することを可能にする。選択した部品番号に対応した部品名を部品名テキストボックス７２４に表示する。部品プルダウンリストの中に「全て」（ＡＬＬ）という選択項目を含ませ、これを選択した場合は全ての部品について処理を行うことを可能にする。
【０１２２】
需要予測画面７２０は、需要予測に用いる今回推定した部品交換時間間隔テキストボックス７２５を備え、保守部品交換時間管理用計算機６０１が値を表示する。
【０１２３】
需要予測画面７２０は、予測年月日テキストエントリ７２６，７２７，７２８を備え、保守部品交換時間管理用計算機６０１が実行する需要予測の終了年月日を指定する。それぞれ、プルダウンボタン７２６ｓ，７２７ｓ，７２８ｓを備え、カレンダから指定可能にしている。
【０１２４】
需要予測画面７２０は、予測計算投入ボタン７２９を備え、このボタンのクリックにより、選択した地域名（全ての地域名選択を含む）の選択した部品（全ての部品選択を含む）の推定した保守部品交換時間間隔に基づく需要予測の自動処理を、図１０に示した保守部品交換時間管理用計算機６０１と、データベース（ＤＢ）管理用計算機６０２とが実行する。
【０１２５】
＜実施の形態１の効果＞
以上に説明したように、本実施の形態１の保守部品交換時間間隔管理方法およびシステムによれば、機械稼働時間情報収集部１０７、保守部品供給履歴情報収集部１０９、機械単位需要予測部１０２、地域単位需要予測部１０３、需要供給乖離計算部１０４、交換時間間隔更新部１０５などを有することで、機械稼働条件が類似する対象地域で稼働している複数の機械についての各個体の稼働時間を収集し、対象地域に向けた保守部品の実績の保守部品供給累計数を収集し、予め仮説の値を定めた保守部品交換時間間隔と稼働時間とから対象地域内の機械の各個体の過去の部品交換時期を計算して、機械の全個体の過去の保守部品交換需要累計数を時系列に集計する需要予測シミュレーションを行い、時系列の保守部品交換需要累計数と保守部品供給累計数との差分である保守部品需要供給乖離値を計算し、保守部品交換時間間隔の仮説値を変更しながら、保守部品需要供給乖離値を最小にする保守部品交換時間間隔の最適推定値を計算し、この保守部品交換時間間隔の最適推定値を用いて将来の保守部品の需要を予測することで、以下のような効果を得ることができる。
【０１２６】
すなわち、本実施の形態１の保守部品交換時間間隔管理方法およびシステムによる効果として、機械製造会社側において、機械運用会社が自社の機械毎の使用環境に合わせて実施している保守部品の交換時間間隔を推定することができ、その推定値に基づいて過不足のない精度の高い保守部品の需要予測を行うことができる。これによって、機械製造会社は、必要な時期に必要なだけの保守部品の所要量を準備すれば良いため、在庫管理費用を削減することができる。
【０１２７】
［実施の形態２］
実施の形態２の保守部品の交換時間間隔管理方法およびシステムについて、図２０〜図２２を用いて説明する。
【０１２８】
本実施の形態では、指定した地域の全域で稼働している全ての機械の保守部品の交換時間間隔を１つだけ推定するのではなく、各機械の保守部品の交換時間間隔を個別に予測することも行える保守部品交換時間間隔管理方法およびシステムの例を説明する。
【０１２９】
＜保守部品交換時間間隔管理システムを含む保守部品供給網の全体的な動作＞
図２０は、本実施の形態の保守部品交換時間間隔管理システム１００の処理手順の一例を示すフロー図である。図２０は、図３と比較して、交換時間間隔の現在値を更新（ステップ２０９）が、機械毎の交換時間間隔の現在値を更新（ステップ２３９）に変更になっている。
【０１３０】
図２１は、図２０に示した保守部品交換時間間隔管理システム１００の処理手順において、需要予測シミュレーション（ステップ３００）の一例を示す詳細フロー図である。図２１は、図４と比較して、交換時間間隔の現在値の取得（ステップ３０６）が、当該機械の交換時間間隔の現在値の取得（ステップ３３６）に変更になっている。
【０１３１】
図２２は、本実施の形態の保守部品交換時間間隔管理システム１００において、保守部品の交換時間間隔記憶部１０６に記憶する交換時間間隔リストの一例を示す説明図である。図２２の交換時間間隔リスト１０６ｄ３は、図１６と比較して、「地域名」が「機械番号」（例えば、Ｍ２１ａ、Ｍ２１ａ、Ｍ２１ｂ、・・・、Ｍ２１ｃ）に変更になっている。
【０１３２】
既に、前記実施の形態１において説明した図に示された同一の符号を付された構成と、同一の機能を有する部分については、説明を省略する。
【０１３３】
保守部品交換時間間隔管理システム１００は、図２１の需要予測シミュレーションにおいて、当該地域の全ての機械に共通の部品交換時間間隔の現在値を取得するのではなく、当該地域の当該機械に固有の部品交換時間間隔の現在値を取得する（図２１のステップ３３６）。具体的には、例えば図２２の交換時間間隔リスト１０６ｄ３から、機械番号“Ｍ２１ａ”の部品番号“Ｐ００１”の部品交換時間間隔の現在値“３０”を取得する。すなわち、機械毎に異なる部品交換時間間隔を用いて、機械単位の需要予測シミュレーション（図２１のステップ３０７）を実行する。続いて、当該地域の全ての機械の需要予測の集計（図２１のステップ３０８）を実行する。
【０１３４】
個別の機械に対する保守部品の供給量は、機械製造会社では分からないため、当該地域に対する保守部品の供給量と当該地域の全ての機械の需要予測の集計値の乖離を計算する（図２０のステップ２０７）。
【０１３５】
乖離値の大きさを判定（図２０のステップ２０８）して、乖離値が最小値に収束していない場合は、機械毎の交換時間間隔の現在値の更新（図２０のステップ２３９）を実行する。需要予測シミュレーション（図２０のステップ３００）から機械毎の交換時間間隔の現在値を更新（図２０のステップ２３９）のループで、機械１台毎に交換時間間隔を更新しても良いし、全ての機械の交換時間間隔を更新しても良い。
【０１３６】
更新方法としては、交換時間間隔のパラメータ空間における全域探索、あるいはヒューリスティック探索（山登り法、遺伝的アルゴリズム、焼きなまし法、タブー探索、粒子群最適化など）、あるいはＭＣＭＣ（Ｍａｒｋｏｖ  Ｃｈａｉｎ  Ｍｏｎｔｅ  Ｃａｒｌｏ）法を、パラメータの数や許容される探索時間に応じて使い分ける。
【０１３７】
＜実施の形態２の効果＞
以上に説明したように、本実施の形態２の保守部品交換時間間隔管理方法およびシステムによれば、前記実施の形態１と異なる処理として、保守部品交換時間間隔を機械個体毎の個別の値とし、機械個体別の部品交換時間間隔を用いて機械個体毎の過去の部品交換時期を計算して、対象地域内の機械の全個体の過去の保守部品交換需要累計数を時系列に集計し、対象地域内の保守部品交換需要累計数と対象地域に向けて供給した保守部品供給累計数との差分である保守部品需要供給乖離値を計算し、この保守部品需要供給乖離値を最小にする機械個体別の保守部品交換時間間隔の最適推定値を計算し、この保守部品交換時間間隔の最適推定値を用いて将来の保守部品の需要を予測することで、以下のような効果を得ることができる。
【０１３８】
すなわち、本実施の形態２の保守部品交換時間間隔管理方法およびシステムによる効果として、機械製造会社側において、機械運用会社が自社の機械毎の使用方法に合わせて実施している保守部品の交換時間間隔を推定することができ、その推定値に基づいて過不足のない精度の高い保守部品の需要予測を行うことができる。これによって、機械製造会社は、必要な時期に必要なだけの保守部品の所要量を準備すれば良いため、在庫管理費用を削減することができる。
【０１３９】
また、本実施の形態２の保守部品交換時間間隔管理方法およびシステムを用いれば、保守部品交換時間間隔推定値を設計基準と照合することによって、故障リスクの高い機械の使用方法を取っている機械運用会社に対して適切な使用方法と保守部品交換を連絡することができ、機械の不稼働時間発生のリスクを低減することができる。
【０１４０】
以上、本発明者によってなされた発明を実施の形態に基づき具体的に説明したが、本発明は前記実施の形態に限定されるものではなく、その要旨を逸脱しない範囲で種々変更可能であることはいうまでもなく、様々な変形例が含まれる。
【０１４１】
例えば、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加・削除・置換をすることが可能である。
【０１４２】
また、本発明の対象機械は、特定の機械に限定されるものではなく、磨耗などによって経時劣化する保守部品を構成要素に備えた様々な機械が含まれる。例えば、エンジン発電機、タービン発電機、電動機、移動機械、建設機械、医療機器、昇降機、コンピュータサーバ機器、コンピュータストレージ機器、製造装置が含まれる。
【０１４３】
また、本発明の、機械稼働条件が類似する対象地域としては、類似の環境で区分した対象地域に限定されるものではなく、類似の使用目的で区分した対象地域、または、機械運用会社で区分した対象地域などについても適用可能である。
【産業上の利用可能性】
【０１４４】
本発明の保守部品の交換時間間隔管理方法およびシステムは、磨耗などによって経時劣化する保守部品を構成要素に備えた様々な機械に利用可能である。
【符号の説明】
【０１４５】
１１  機械製造会社の部品製造ライン
１２  機械製造会社の部品倉庫
１３  機械製造会社の保守部品勘定システム
１４  ネットワーク
２０ａ，２０ｂ，２０ｃ  機械運用会社
２１ａ  機械
２２ａ  保守部品
２３ａ  保守管理システム
２４ａ  通信部
３０  部品リスト記憶部
３１  地域名リスト記憶部
３２  機械リスト記憶部
１００  機械製造会社の保守部品交換時間間隔管理システム
１０１  カレンダ制御部
１０２ａ，１０２ｂ，１０２ｃ  機械単位需要予測部
１０３  地域単位需要予測部
１０４  需要供給乖離計算部
１０５  交換時間間隔更新部
１０６  交換時間間隔記憶部
１０７  機械稼働時間情報収集部
１０８  機械稼働時間情報記憶部
１０９  保守部品供給履歴情報収集部
１１０  保守部品供給履歴情報記憶部
１１１  地域単位供給集計部
６００  機械製造会社運用センタ
６０１  保守部品交換時間管理用計算機
６０２  データベース（ＤＢ）管理用計算機
６１０  演算処理装置
６２０  記憶装置
６３０  記憶装置
６４０  入出力装置
【図１】
2013186880.tif 000007
【図２】
2013186880.tif 000008
【図３】
2013186880.tif 000009
【図４】
2013186880.tif 000010
【図５】
2013186880.tif 000011
【図６】
2013186880.tif 000012
【図７】
2013186880.tif 000013
【図８】
2013186880.tif 000014
【図９】
2013186880.tif 000015
【図１０】
2013186880.tif 000016
【図１１】
2013186880.tif 000017
【図１２】
2013186880.tif 000018
【図１３】
2013186880.tif 000019
【図１４】
2013186880.tif 000020
【図１５】
2013186880.tif 000021
【図１６】
2013186880.tif 000022
【図１７】
2013186880.tif 000023
【図１８】
2013186880.tif 000024
【図１９】
2013186880.tif 000025
【図２０】
2013186880.tif 000026
【図２１】
2013186880.tif 000027
【図２２】
2013186880.tif 000028
【国際調査報告】
2013186880.tif 000029
2013186880.tif 000030